(57)【特許請求の範囲】
【請求項１】
内巻きされたホースを収納するホース収納部及び該ホース収納部に収納されたホースを引き出すための中央開口部を備えた箱状の本体と、該本体の前面に設けられると共に前記中央開口部の前方に開口部を有する前面パネルと、該前面パネルの開口部に設けられて下辺を回動軸として閉鎖状態から略１８０°開くことができる前傾式の消火栓扉と、該消火栓扉の背面側に設けられて消火ノズルを着脱可能に固定するノズル固定部を備えた消火栓装置であって、トンネル内の監査路上で車道寄りに設置されるものにおいて、
前記本体における背面側に設けられて、少なくとも前記消火栓扉の背面側に固定された前記消火ノズルが取り出せる大きさの背面側開口部と、該背面側開口部を開閉可能に覆う背面扉とを設けたことを特徴とする消火栓装置。
【請求項２】
前記ホースに消火水を供給する消火水供給管路に設けられた消火栓弁と、前記消火栓弁を開閉操作する消火栓弁操作部とを備え、前記消火栓弁操作部は前記背面扉を開放することで、背面側からも操作可能であることを特徴とする請求項１に記載の消火栓装置。
【請求項３】
前記本体における背面側に設けられて、少なくとも消火器が取り出せる大きさの背面消火器扉を設けたことを特徴とする請求項１又は２に記載の消火栓装置。
【発明の詳細な説明】
【技術分野】
【０００１】
本発明は、トンネル等に設置される前傾式扉を備えた消火栓装置に関する。
【背景技術】
【０００２】
トンネル内に消火栓装置を設置する場合、例えば特許文献１の図３に示されているように、監査路上の壁に箱抜き加工を行い、前記壁に埋め込むように設置されるのが一般的である。
また、特許文献１の消火栓装置においては、前面パネルに前方に向かって略１８０°回動して開放する消火栓扉を設け、この消火栓扉の背面側に消火用ノズルを着脱可能に固定している。
消火作業の際には、消火栓扉を開放して、消火用ノズルを取り外し、ホースを引き出して消火活動をする。
【先行技術文献】
【特許文献】
【０００３】
【特許文献１】特開２０１４−２１７６４６号公報
【発明の概要】
【発明が解決しようとする課題】
【０００４】
竣工当時には消火栓装置の設置対象外であったトンネルに、後から消火栓装置を設置する場合があり、この場合には消火栓装置を壁に埋め込むことができず、監査路上の車道寄りの位置に消火栓を設置する場合がある。
【０００５】
監査路上の車道寄りに消火栓装置を設置する場合、消火栓装置の前面が車道に面することになり、消火栓装置のすぐ前で事故等による火災が発生した場合や、消火栓装置のすぐ前に停車車両があった場合には、消火栓扉を開放することができず、火災に最も近い消火栓装置を操作できないという事態が生じ得る。
監査路上の車道寄りに消火栓装置を設置する場合、消火栓装置の背面側の監査路を人が通行できるので、上記のような事態を回避するには、消火栓装置の背面側から消火ノズルを取り出したいという要請がある。
しかしながら、このような要請に応える消火栓装置は、発明者が知る限り存在しておらず、かかる消火栓装置の開発が望まれていた。
【０００６】
本発明はかかる課題を解決するものであり、消火栓装置の前面側に加えて背面側からでも消火ノズルを取り出すことができ、監査路上の車道寄りに設置された場合においても、迅速な消火活動が可能な消火栓装置を提供することを目的としている。
【課題を解決するための手段】
【０００７】
（１）本発明に係る消火栓装置は、内巻きされたホースを収納するホース収納部及び該ホース収納部に収納されたホースを引き出すための中央開口部を備えた箱状の本体と、該本体の前面に設けられると共に前記中央開口部の前方に開口部を有する前面パネルと、該前面パネルの開口部に開閉可能に設けられた消火栓扉と、該消火栓扉の背面側又は前記本体内に設けられて消火ノズルを着脱可能に固定するノズル固定部を備えた消火栓装置において、
前記本体における背面側に設けられて、少なくとも前記消火栓扉の背面側又は前記本体内に固定された前記消火ノズルが取り出せる大きさの背面側開口部と、該背面側開口部を開閉可能に覆う背面扉とを設けたことを特徴とするものである。
【０００８】
（２）また、上記（１）に記載のものにおいて、前記ホースに消火水を供給する消火水供給管路に設けられた消火栓弁と、前記消火栓弁を開閉操作する消火栓弁操作部とを備え、前記消火栓弁操作部は前記背面扉を開放することで、背面側からも操作可能であることを特徴とするものである。
【０００９】
（３）また、上記（１）又は（２）に記載のものにおいて、前記本体における背面側に設けられて、少なくとも前記消火器が取り出せる大きさの背面消火器扉を設けたことを特徴とするものである。
【発明の効果】
【００１０】
本発明においては、消火栓装置の前面側に設けた消火栓扉に加えて背面側に消火ノズルを取り出すことができる背面側開口部と、該背面側開口部を開閉可能に覆うように設けられた背面扉を設けたことにより、消火栓装置を監査路の車道寄りの位置に設置した場合において、消火栓装置の前面で火災が発生する等して消火栓装置の前面側から消火栓扉を開けることができない状況でも、背面扉を開放して消火ノズルを取り出して消火活動ができる。そのため、火災現場に最も近い位置にある消火栓装置を迅速に活用することができ、火災の拡大を防止できる。
【図面の簡単な説明】
【００１１】
【図１】本発明の一実施の形態に係る消火栓装置の正面図である。
【図２】図１に示した消火栓装置の前傾式扉を開けた状態を示す図である。
【図３】図１に示した消火栓装置の平面図である。
【図４】図１に示した消火栓装置の背面図である。
【図５】図１に示した消火栓装置の背面扉を開けた状態を示す図である。
【図６】図１に示した消火栓装置の設置例を示す図である。
【発明を実施するための形態】
【００１２】
本実施の形態に係る消火栓装置１は、図１〜図５に示すように、箱状の本体３と、本体３の前面に設けられた開口部５ａを有する前面パネル５と、前面パネル５の開口部５ａに開閉可能に設けられた消火栓扉に相当する前傾式扉７と、本体３における背面側に設けられた背面側開口部９と、背面側開口部９を開閉可能に覆う背面扉１１と、本体３における背面側に設けられて消火器１０（図３参照）を背面側から取り出し可能にする背面消火器扉１２を備えている。なお、ここで消火栓装置１は、図６における車道３３側を前面、トンネル３５の壁面側を背面としている。
以下、各構成を詳細に説明する。
【００１３】
＜本体＞
本体３は、図１〜図３に示すように、矩形の箱状からなる筺体を有し、筺体内には内巻きに巻き回されたホース１３を収納するホース収納部１５及びホース収納部１５に収納されたホース１３を引き出すための中央開口部１７が設けられている。また、筐体内には、ホース収納部１５の右側に、消火栓弁や自動調圧弁を有する配管系統１９が設けられている。配管系統１９は、先端側がホース１３の基端側と接続されるとともに、基端側が図示しない給水源に接続されている。
【００１４】
《ホース収納部》
ホース収納部１５は、本体３の内壁上面から内壁下面に至る２本の棒状体２１と、棒状体２１から本体３の内壁背面に至る略Ｌ字状に屈曲した２枚の帯板２３とを備えて構成されている。
そして、２本の棒状体２１の間に中央開口部１７が形成され、ここからホース１３が引き出される。
【００１５】
また、図１〜図３に示すように、本体３の図中左側には、消火器１０を収納するための消火器収納部１６が設けられている。
【００１６】
＜前面パネル＞
前面パネル５は、本体３の前面に設けられ、中央開口部１７の前方に位置する部位が開口しており、この開口部５ａを開閉可能に前傾式扉７が取り付けられ、また前面パネル５の左側には消火器扉８が開閉可能に設けられている。
【００１７】
＜前傾式扉＞
前傾式扉７は板状の金属板から構成された横長の矩形状をしており、上述のように前面パネル５の開口部５ａを開閉可能に取り付けられている。
前傾式扉７は、下辺両端に回動軸（蝶番３０）が設けられ、開口部５ａを閉鎖状態から、図２に示すように、略１８０°開くことができる。
前傾式扉７の背面側には、消火ノズル２５を着脱可能に固定するノズル固定部２７及び、ホース１３に消火水を供給する消火水供給管路に設けられた消火栓弁（図示なし）を開閉操作する操作レバー２９（消火栓弁操作部）が設けられている。
なお、前傾式扉７におけるノズル固定部２７に対応する箇所は透明なアクリル板が設置されており、前傾式扉７の背面側に着脱可能に固定されている消火ノズル２５が見える。
【００１８】
《ノズル固定部》
ノズル固定部２７は、ホース１３の収納時において、ホース１３の先端に設けられた消火ノズル２５を固定するものであり、例えば、ノズルキャッチャーと言われるＣ型の係止片２７ａによって構成されている。そして、図２に示すように、消火ノズル２５を、その軸芯方向が前傾式扉７の幅方向と略平行となるように固定している。
【００１９】
＜背面側開口部＞
背面側開口部９は、本体３における背面側に設けられて、少なくとも前傾式扉７に固定された消火ノズル２５が背面側から取り出せる大きさに設定されている（図４、図５参照）。また、本実施の形態では、前面側開口部と同じ大きさに設定されており、背面側から操作者が手を本体３内に挿入して操作レバー２９を操作できるようにしている。もっとも、後述するように、操作レバー２９の操作を遠隔操作できるようにして、例えば消火ノズル２５に設けた操作ボタンで操作できるようにすれば、背面側開口部９は消火ノズル２５が取り出せる大きさであればよい。
【００２０】
＜背面扉＞
背面扉１１は、背面側開口部９を覆うものであり、矩形状の下辺側に回転軸（蝶番３１）によって本体３に開閉可能に取り付けられている。
【００２１】
＜背面消火器扉＞
背面消火器扉１２は、本体３における背面側に設けられて消火器１０を背面側から取り出し可能にするための扉である。この背面消火器扉１２は、開扉することで消火器１０が取り出せる大きさの開口が設けられるようにすればよく、必ずしも前面側の消火器扉８と同じ大きさである必要はない。
【００２２】
以上のように構成された本実施の形態の消火栓装置１は、竣工後にトンネル３５内に設置される場合、図６に示すように、監査路３７の車道３３寄りの位置に設置される。なお、図６において、給水配管等は監査路３７内または、監査路３７上から消火栓装置１に配管されるが、これについては図示を省略している。
【００２３】
図６に示すように設置された消火栓装置１の近傍の車道３３側で火災が発生した場合、消火栓装置１に正面において作業が可能な状態の場合には、操作者は、車道３３側から前傾式扉７を前面側（車道３３側）に倒して開扉し、前傾式扉７が図２の略１８０°回転した状態にする。
【００２４】
そして、操作者は、操作レバー２９を操作して消火栓弁を開放することでホース１３に消火水を供給するとともに、消火ノズル２５をノズル固定部２７から外して、ホース１３を火災のある方向に引き出して消火活動を行う。
【００２５】
また、消火栓装置１の真正面で火災が発生した場合、操作者は、消火栓装置１の前面側に行くことができないので、監査路３７上から消火栓装置１の背面側に行き、背面扉１１を開扉する。このとき、図５に示すように、消火ノズル２５は背面側開口の内側に確認することができる。操作者は、背面側から本体３内に手を入れて、操作レバー２９を操作して消火栓弁を開放することでホース１３に消火水を供給するとともに、消火ノズル２５をノズル固定部２７から外して、ホース１３を火災のある方向に引き出して消火活動を行う。
また、消火器１０が必要な場合には、消火栓装置１の背面側から背面消火器扉１２を開放して消火器１０を取り出して消火活動をすることもできる。
【００２６】
以上のように、本実施の形態の消火栓装置１によれば、消火栓装置１を監査路３７の車道３３寄りの位置に設置した場合において、消火栓装置１の正面で火災が発生等して消火栓装置１の正面側から前傾式扉７を開けることができない状況でも、背面扉１１を開放して消火ノズル２５を取り出し、あるいは背面消火器扉１２を開放して消火器１０を取り出して消火活動ができる。そのため、火災現場に最も近い位置にある消火栓装置１を迅速に活用することができ、火災の拡大を防止できる。
【００２７】
なお、上記の説明では、背面扉１１を開けて本体３内に操作者が手を入れて操作レバー２９を操作する例を示したが、例えば消火ノズル２５に操作ボタンを消火栓弁操作部として取り付け、消火栓弁を電動弁とし、無線により電動弁を遠隔操作で開閉できるようにしておけば、消火ノズル２５を取り出すだけでよく、より迅速な消火活動ができる。
【００２８】
また、上記の説明では、前面側の消火栓扉として前傾式扉７、背面側の扉として下辺側の蝶番３１を回転軸として開閉する背面扉１１を例に挙げて説明したが、いずれも上下又は左右方向にスライドするスライド扉、上辺側を軸として回動する跳ね上げ式の扉など、その他の開閉方法による扉であってもよい。
【００２９】
また、ノズル固定部２７（消火ノズル２５）と消火栓弁操作部（操作レバー２９）とを前傾式扉７の背面側に配置する例を示したが、前傾式扉７などの消火栓扉、及び背面扉１１を開けて操作者が消火ノズル２５を取り出せ、消火栓弁操作部を操作できればよく、前傾式扉７などの消火栓扉の背面側以外に配置してもよい。
例えば、前面側の開口部５ａおよび背面側開口部９から操作可能なように、本体３の内部における背面扉１１の前面側に配置してもよいし、ホース収納部１５の中央開口部１７内に配置してもよい。また、上述したとおり、消火ノズル２５に操作ボタンを設け、無線操作にて消火栓弁を開閉できるようにしてもよい。
【符号の説明】
【００３０】
１  消火栓装置
３  本体
５  前面パネル
５ａ  開口部
７  前傾式扉
８  消火器扉
９  背面側開口部
１０  消火器
１１  背面扉
１２  背面消火器扉
１３  ホース
１５  ホース収納部
１６  消火器収納部
１７  中央開口部
１９  配管系統
２１  棒状体
２３  帯板
２５  消火ノズル
２７  ノズル固定部
２７ａ  係止片
２９  操作レバー
３０  蝶番
３１  蝶番
３３  車道
３５  トンネル
３７  監査路
【図１】
0006531006.tif 000002
【図２】
0006531006.tif 000003
【図３】
0006531006.tif 000004
【図４】
0006531006.tif 000005
【図５】
0006531006.tif 000006
【図６】
0006531006.tif 000007